(57)【特許請求の範囲】
【請求項１】
基準ベースと、筐体と、天秤の性能を達成するための機能部品と、被測定物を載置するための荷重受けと、水平に調整するための水平調整脚とを備える電子天秤であって、前記筐体は、貫通孔を有する第一筐体と貫通孔を有する第二筐体とを有し、前記機能部品、前記第一筐体及び前記第二筐体は、装着用の機能部品、装着用の第一筐体及び装着用の第二筐体と、交換用の機能部品又は交換用の第一筐体及び交換用の第二筐体を選択可能に有するものであって、前記基準ベースには、前記機能部品、荷重受け及び水平調整脚が固定され、前記基準ベース及び前記機能部品は、上方から前記第一筐体で包み込まれるとともに、下方から前記第二筐体で包み込まれ、前記荷重受けは、前記第一筐体の上方に配置されるとともに、前記第一筐体の貫通孔を介して基準ベースに固定され、前記水平調整脚は、前記第二筐体の下方に配置されるとともに、前記第二筐体の貫通孔を介して基準ベースに固定されることを特徴とする電子天秤。
【請求項２】
前記機能部品は、荷重検出センサと、センサ出力演算モジュールと、情報画像を表示する表示部を有する表示器モジュールと、電源モジュールと、水平であるか否かを測定するための水平調整器とであることを特徴とする請求項１に記載の電子天秤。
【発明の詳細な説明】
【技術分野】
【０００１】
本発明は、電子天秤に関し、特に外観を構成する筐体を備える電子天秤（電子はかりとも呼ばれることもある）に関する。
【背景技術】
【０００２】
電子天秤においては、平面視で長方形状の基準ベースと、その基準ベースの上方を覆うように取り付けられ、上面を有する四角筒状（箱状）の筐体と、被測定物を載置するための測定皿（荷重受け）と、その基準ベースの四隅に下方から取り付けられる４個の水平調整脚とを備え、基準ベースと筐体との内部に、荷重検出センサ、センサ出力演算モジュール、情報画像を表示する表示部を有する表示器モジュール、電源モジュール、水平であるか否かを測定するための水平調整器等の機能部品を収容したものが知られている。
このような電子天秤の一例として、荷重検出センサ、センサ出力演算モジュール、電源モジュール、水平調整器、荷重受け及び水平調整脚は、基準ベースに固定され、表示器モジュールは、筐体に固定されるとともに基準ベースにコード接続されるものがある。つまり、筐体の上面と表示器モジュールの表示部とが同一平面となるように、筐体と表示器モジュールとの位置合わせを予め行い一体化させることで、表示器モジュールを有する筐体が基準ベースに上方から取り付けられる。
また、電子天秤の他の一例として、スイッチ基板や表示器モジュール等も筐体に固定されているものがある（例えば、特許文献１参照）。これにより、コード接続等を行わず、スイッチ基板や表示器モジュールを基準ベースに簡易に接続することができる。
【特許文献１】特開平９−６８４５９号公報
【発明の開示】
【発明が解決しようとする課題】
【０００３】
しかしながら、上述したような電子天秤では、基準ベースが下部の筐体の役割も果たしているため、外観形状である意匠の変更を行う場合には、上方から取り付ける筐体だけでなく、基準ベースの変更も行わなければなかった。さらに、基準ベースの変更を行えば、基準ベースに搭載される機能部品の配置の変更等も行わなければならなかった。つまり、意匠と、はかりの性能とが分離されていないので、容易に意匠のみの変更を行うことができなかった。
そこで、本発明は、意匠を構成する筐体と、天秤の性能を達成するための機能部品を搭載する基準ベースとを分離することによって、筐体の意匠のみや、機能部品による天秤の性能のみの変更を容易に行うことができる電子天秤を提供することを目的とする。
【課題を解決するための手段】
【０００４】
上記課題を解決するためになされた本発明の電子天秤は、基準ベースと、筐体と、天秤の性能を達成するための機能部品と、被測定物を載置するための荷重受けと、水平に調整するための水平調整脚とを備える電子天秤であって、前記筐体は、貫通孔を有する第一筐体と貫通孔を有する第二筐体とを有し、前記機能部品、前記第一筐体及び前記第二筐体は、装着用の機能部品、装着用の第一筐体及び装着用の第二筐体を有するとともに、交換用の機能部品又は交換用の第一筐体及び交換用の第二筐体を有するものであって、前記基準ベースには、前記機能部品、荷重受け及び水平調整脚が固定され、前記基準ベース及び前記機能部品は、上方から前記第一筐体で包み込まれるとともに、下方から前記第二筐体で包み込まれ、前記荷重受けは、前記第一筐体の上方に配置されるとともに、前記第一筐体の貫通孔を介して基準ベースに固定され、前記水平調整脚は、前記第二筐体の下方に配置されるとともに、前記第二筐体の貫通孔を介して基準ベースに固定されるようにしている。
【０００５】
本発明の電子天秤によれば、基準ベースには、天秤の性能を達成するための機能部品が搭載される。一方、筐体には、機能部品は全く搭載されない。そして、機能部品が搭載された基準ベースは、例えば、左右や上下から第一筐体と第二筐体とにより包み込まれる。
【発明の効果】
【０００６】
以上のように、本発明の電子天秤によれば、意匠を構成する筐体と、天秤の性能を達成するための機能部品を搭載する基準ベースとを分離することによって、意匠のみや、機能部品による天秤の性能のみの変更を容易に行うことができる。例えば、意匠の変更を行いたい場合には、機能部品を搭載する基準ベースはそのまま使用して、第一筐体及び第二筐体を変更することになる。
【０００７】
（他の課題を解決するための手段および効果）
また、上記の発明において、前記機能部品は、荷重検出センサと、センサ出力演算モジュールと、情報画像を表示する表示部を有する表示器モジュールと、電源モジュールと、水平であるか否かを測定するための水平調整器とであるようにしてもよい。
そして、上記の発明において、前記基準ベース及び機能部品は、上方から第一筐体で包み込まれるとともに、下方から第二筐体で包み込まれるようにしてもよい。
さらに、上記の発明において、前記第一筐体は、貫通孔を有し、前記荷重受けは、第一筐体の上方に配置されるとともに、貫通孔を介して基準ベースに固定され、前記第二筐体は、４つの貫通孔を有し、前記水平調整脚は、４個の脚部品からなり、各脚部品は、第二筐体の下方に配置されるとともに、貫通孔を介して基準ベースに固定されるようにしてもよい。
【発明を実施するための最良の形態】
【０００８】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【０００９】
図１は、本発明の一実施形態である電子天秤の分解斜視図であり、図２は、図１に示す機能部品が搭載され、かつ、水平調整脚が取り付けられた基準ベースの斜視図である。
電子天秤は、機能部品２０が搭載された基準ベース２９と、基準ベース２９の上方から装着される第一筐体１０と、基準ベース２９の下方から装着される第二筐体３０と、被測定物を載置するための測定皿（荷重受け）４０と、水平に調整するための４個の水平調整脚５０とを備える。
【００１０】
基準ベース２９は、平面視で長方形の板状であり、その上面には、荷重検出センサ２５と、センサ出力演算モジュール２７と、情報画像を表示する表示部を有する表示器モジュール２３と、電源モジュール２６と、水平であるか否かを測定するための水平調整器２４とが搭載されている。なお、長方形状の四隅には、水平調整脚５０を螺合するためのネジ受部３０ａが形成されている。
荷重検出センサ２５は、中央に測定皿４０を取り付けるための円柱部２５ａを有し、円柱部２５ａに取り付けられた測定皿４０に載置された被測定物の荷重信号を検出する。
センサ出力演算モジュール２７は、荷重検出センサ２５で検出された荷重信号を受信して被測定物の荷重を演算するとともに、その演算結果を表示器モジュール２３に出力する。
表示器モジュール２３は、センサ出力演算モジュール２７のよる演算結果に基づいて情報画像を表示部に表示するものである。
水平調整器２４は、水平であるか否かを測定するものであり、半球状の容器の中に水と空気とが封入されている。よって、水平であれば、平面視で中央に空気がくることになり、水平でなければ、平面視で中央に空気がこないことになる。
【００１１】
測定皿４０は、下面の中心から下方に伸びる連結軸（図示せず）を有する円板形状であり、その上面には被測定物が載置されることになる。
各水平調整脚５０は、上面の中心から上方に伸びるネジ軸を有する円板形状であり、床等に置かれる。そして、水平調整脚５０は、ネジ受部３０ａに螺合されることにより取り付けられることになる。このとき、水平調整脚５０のネジ受部３０ａへの螺合の度合いにより、高さが調整される。すなわち、４個の水平調整脚５０のそれぞれのネジ受部３０ａへの螺合の度合いで、水平が調整されることになる。
【００１２】
筐体は、上面を有する四角筒状（箱状）の第一筐体１０と、下面を有する四角筒状（箱状）の第二筐体３０とからなり、機能部品２０が搭載された基準ベース２９を上方から第一筐体１０で包み込むとともに、下方から第二筐体３０で包み込むようにネジ止め等することにより組み立てられる。
第一筐体１０の上面には、３つの貫通孔１１、１２、１３が形成されている。貫通孔１１は、長方形状の孔であり、表示器モジュール２３の表示部が挿入され、貫通孔１２は、円形状の孔であり、水平調整器２４が挿入される。これにより、電子天秤を組み立てたときには、第一筐体１０の上面と表示器モジュール２３の表示部及び水平調整器２４の上面とが同一平面となるように設計されている。
さらに、貫通孔１３は、略中央に設けられた円形状の孔であり、測定皿４０の連結軸が挿入される。これにより、測定皿４０は、第一筐体１０の上方に配置されるとともに、基準ベース２９の荷重検出センサ２５の円柱部２５ａに固定される。
【００１３】
第二筐体３０の下面の四隅には、それぞれ貫通孔３０ａが形成されている。各貫通孔３０ａは、円形状の孔であり、それぞれ水平調整脚５０のネジ軸が挿入される。これにより、水平調整脚５０は、第二筐体３０の下方に配置されるとともに、基準ベース２９のネジ受部３０ａに固定される。
なお、基準ベース２９には、スイッチ基板等が搭載されていてもよく、このとき、第一筐体１０には、スイッチ用の貫通孔が形成されたり、くり抜き部が形成されたりする。
【００１４】
以上のように、電子天秤によれば、意匠を構成する第一筐体１０及び第二筐体３０と、天秤の性能を達成するための機能部品２０を搭載する基準ベース２９とを分離することによって、第一筐体１０及び第二筐体３０の意匠のみや、機能部品２０によるはかりの性能のみの変更を容易に行うことができる。例えば、意匠の変更を行いたい場合には、機能部品２０を搭載する基準ベース２９はそのまま使用して、第一筐体１０及び第二筐体３０を、上面を有する円筒状の第一筐体及び下面を有する円筒状の第二筐体に変更することができる。
【００１５】
（他の実施形態）
（１）上述した電子天秤では、機能部品２０が搭載された基準ベース２９を上方から第一筐体１０で包み込むとともに、下方から第二筐体３０で包み込む構成としたが、機能部品２０が搭載された基準ベース２９を右方から第一筐体で包み込むとともに、左方から第二筐体で包み込む構成としてもよい。
【産業上の利用可能性】
【００１６】
本発明の電子天秤は、例えば、意匠の設計開発と天秤の性能の設計開発とを個別に行うことができるものとして、利用される。
【図面の簡単な説明】
【００１７】
【図１】本発明の一実施形態である電子天秤の分解斜視図である。
【図２】図１に示す機能部品が搭載され、かつ、水平調整脚が取り付けられた基準ベースの斜視図である。
【符号の説明】
【００１８】
１０  第一筐体
２０  機能部品
２９  基準ベース
３０  第二筐体
４０  測定皿（荷重受け）
５０  水平調整脚
【図１】
0004952424.tif 000002
【図２】
0004952424.tif 000003